(57)【特許請求の範囲】
【請求項１】
１）走行台車上に制御器を含む本体と、Ｘ線発生装置とを搭載した回診用Ｘ線装置であって、
２）前記本体に配設された画像処理手段と、
３）被検体透過Ｘ線を電荷として蓄積する平面状のＸ線検出部と、蓄積された電荷を読み出し電気信号に変換する信号変換部と、読み出された電気信号をデジタル信号に変換するＡ／Ｄ変換部とよりなるフラットパネルＸ線検出器と、
４）前記フラットパネルＸ線検出器からのデジタル信号（画像データ）を前記画像処理手段に伝送するケーブルと、
５）前記本体に設けられ、前記画像処理手段で画像処理された画像データをＸ線透過画像として表示するモニタと
６）前記モニタで確認したＸ線透過画像を転送又は保存することが可能となるように転送手段及び画像記憶手段とを備えることを特徴とする回診用Ｘ線装置。
【発明の詳細な説明】
【０００１】
【発明の属する技術分野】
本発明は、重傷等で歩行困難な患者をＸ線撮影するためにベッドサイドまで移動させて使用する回診用Ｘ線装置に関する。
【０００２】
【従来の技術】
この種の回診用Ｘ線装置20は、図５に示すように、左右一対づつの前輪21と後輪22を備えた走行台車23上の前部に支柱24を旋回自在に立設すると共に、この支柱24に沿って上下自在に支持台25を取り付け、支持台25から水平片持ち状に伸縮アーム26を延出し、その先端にコリメータ27を備えたＸ線発生装置28を照射方向調整可能に取り付け、また、走行台車23上の後部に制御装置29を搭載して構成されている。
【０００３】
このように構成された回診用Ｘ線装置20で患者の診断を行う場合には、この回診用Ｘ線装置を撮影対象である患者Ｍが仰臥するベッドＢまで移動させて横付けし、患者ＭとベッドＢとの間にフイルムを収容するカセッテ30を装填し、位置決めした後、Ｘ線発生装置28からＸ線を照射することによって、関心部位を撮影している。
そのために、回診用Ｘ線装置20には、複数枚のカセッテを収納するカセッテボックス31が設けられている。
【０００４】
【発明が解決しようとする課題】
しかしながら、従来の回診用Ｘ線装置では、次のような問題がある。
すなわち、撮影毎に未使用フイルムを収容するカセッテを交換する必要があり、そのためには多数のカセッテをカセッテボックスに収納しておけばよいが、装置自体大重量を有しており、これに重いカセッテを収納するにも自ずと制限がある（通常３〜１０枚を収納）ことから、多数枚の撮影ができないと共に、重いカセッテを患者とベッドとの間への装填・取り出し、ならびに、持ち運びに多大の労力を要するという問題がある。
また、撮影したフィルムを現像し、フィルムに定着した画像はアナログ画像であるので、デジタル画像処理、ないし、デジタル記憶手段に画像記録するには、スキャナなどのデジタル化装置を必要とするという問題がある。
【０００５】
本発明は、上記に鑑み、フイルムを使用することなく、直接デジタル画像データが得られると共に、多数枚のＸ線撮影が可能な回診用Ｘ線装置を提供することを目的とする。
【０００６】
【課題を達成するための手段】
上記目的を達成するために、本発明に係る回診用Ｘ線装置においては、走行台車上に制御器を含む本体と、Ｘ線発生装置とを搭載し、前記本体に配設された画像処理手段と、被検体透過Ｘ線を電荷として蓄積する平面状のＸ線検出部と、蓄積された電荷を読み出し電気信号に変換する信号変換部と、読み出された電気信号をデジタル信号に変換するＡ／Ｄ変換部とよりなるフラットパネルＸ線検出器と、前記フラットパネルＸ線検出器からのデジタル信号（画像データ）を前記画像処理手段に伝送するケーブルと、前記本体に設けられ、前記画像処理手段で画像処理された画像データをＸ線透過画像として表示するモニタと、前記モニタで確認したＸ線透過画像を転送又は保存することが可能となるように転送手段及び画像記憶手段とを備えることを特徴とする。
【０００７】
このような構成によれば、Ｘ線透過像はフラットパネルＸ線検出器で撮像されてデジタル画像データとされ、画像処理手段でスムージング、エッヂ強調等の画像処理がなされた後、転送手段により画像データはネットワークを介して中央画像処理部に転送され、ハードディスク等の画像記憶手段に記憶される。
したがって、フィルムが不要で、Ｘ線透過像はフラットパネルＸ線検出器で直接デジタル画像データとされ、画像処理後にネットワークを介して画像記憶手段に転送されるので、多数枚のＸ線撮影を行うことが可能となる。
【０００８】
また、フラットパネルＸ線検出器は、軽量であることから患者とベッドとの間への装填・取り出しが簡便に行えると共に、重いカセッテを必要としないので装置を軽量化できることから、術者の労力を軽減できる。
なお、画像処理手段は、フラットパネルＸ線検出器からのデジタル信号（画像データ）を画像強調、スムージング等の画像処理を行う。
【０００９】
【発明の実施の形態】
以下、図面を参照して本発明の実施例を説明する。
図１は実施例に係る概略構成を示す模式図で、図５の同一作用をなす構成部分には同一符号を付し、その説明を省略する。
図において、１はフラットパネルＸ線検出器で、フラットパネルＸ線検出器１は、全体としては２次元の平面状の形をしており、図２に示すように、Ｘ線検出部４とコントロール・ユニット（以下Ｃ．Ｕ．という）５とよりなり、Ｘ線検出部４は被検体を透過したＸ線を電荷に変換するＸ線検出物質層41と、この電荷を読み出し電気信号に変換するＴＦＴトランジスタ42とで構成されており、これらは半導体分野の薄膜技術でもってガラス基板43上に形成される。
【００１０】
また、Ｃ．Ｕ．５は、ＴＦＴトランジスタ42で変換された電気信号を増幅するアンプ51、アンプ51の出力をデジタル信号に変換するＡ／Ｄ変換器52、Ｘ線検出物質層41により変換された電荷をＴＦＴトランジスタ42により読み出すタイミングの制御やＡ／Ｄ変換器52のタイミング制御を行なう制御回路53、制御回路53で制御されＡ／Ｄ変換器52により変換されたデジタル信号に垂直同期信号等を付け加えてデジタル・ビデオ信号を出力する加算器54とで構成され、このＣ．Ｕ．５とＸ線検出部４とは保護ケースに収容されている。
【００１１】
このフラットパネルＸ線検出器１には、直接変換方式と間接変換方式とがあり、直接変換方式のＸ線検出器ではＸ線検出物質層が図３（ａ）に示すように光導電体膜（例えばアモルファス・セレン膜、Ｃｄ（Ｚｎ）Ｔｅ膜）とされ、入射Ｘ線はアモルファス・セレン膜でそのエネルギーを放出し、電子と正孔のペアーに変換され、電荷は外部印加電圧により移動し、ＴＦＴの電荷収集電極を通してコンデンサに蓄積され、ＴＦＴの読み出し回路により読み出され、デジタル・ビデオ信号として出力される。
【００１２】
また、間接方式のＸ線検出器では、図４（ａ）に示すようにＸ線検出物質層がヨウ化セシウム（ＣｓＩ）層とされ、入射Ｘ線はＣｓＩ層でそのエネルギーを放出し、蛍光に変換され、発光はＣｓＩの柱状結晶構造でＴＦＴ上のフォトダイオードに導びかれ、フォトダイオードで光から電荷への変換がなされ、電荷はコンデンサに蓄積され、ＴＦＴの読み出し回路により読み出され、デジタル・ビデオ信号として出力される。
【００１３】
図１にもどって、２は、フラットパネルＸ線検出器１のＣ．Ｕ．５より出力されるデジタル・ビデオ信号（画像データ）を画像強調等の画像処理をする画像処理回路、３はネットワークインターフェイスで回診用Ｘ線装置20の使用時にケーブル６でネットワーク７に接続される。なお、ネットワーク７は、図示しないハードディスク等の画像記憶手段を備えた中央画像処理部に画像データを伝送できるようにするために各病室に張り巡らさせている。なお、８は接続端子盤である。
【００１４】
つぎに、Ｘ線撮影を行うには、先ず、回診用Ｘ線装置20を撮影対象である患者Ｍが仰臥するベッドＢまで移動させて横付けし、患者ＭとベッドＢとの間にフラットパネルＸ線検出器１を装填、位置決めすると共に、Ｘ線発生装置28からＸ線を照射する。被検体Ｍを透過した透過Ｘ線はフラットパネルＸ線検出器１のＸ線検出物質層41により電荷に変換され、ＴＦＴトランジスタ42にて電気信号に変換されてＣ．Ｕ．５よりデジタル・ビデオ信号として出力される。
【００１５】
Ｃ．Ｕ．５より出力されたデジタル・ビデオ信号（画像データ）は、画像処理回路２で画像処理され、ネットワークインターフェイス３・ケーブル６・ネットワーク７を経て、中央画像処理部に転送され、画像記憶手段に記憶される。
したがって、多数枚のＸ線撮影が可能となる。また、撮影に際し、フラットパネルＸ線検出器は、軽量であることから患者とベッドとの間への装填・取り出しが簡便に行え、また、重いカセッテを必要としないので装置を軽量化できることから、術者の労力を軽減できる。
【００１６】
〔変形実施例〕
１）回診用Ｘ線装置に一時画像記憶メモリ（画像記憶手段）９（図１参照）を付設し、画像処理されたＸ線撮影画像データ、または、Ｃ．Ｕ．５より出力された画像データをメモリ９に記憶・保存し、まとめて中央画像処理部に転送、ないし、回診用Ｘ線装置を中央画像処理部に持ち帰り転送するようにしてもよい。
この様にすれば、多数の画像を収集したり、同室、ないし、異室の多数の患者を撮影でき、回診用Ｘ線装置を撮影の都度、ネットワークと接続する煩わしさが解消できる。
また、診察後、一時画像記憶メモリ９に記憶・保存された画像データは、ハードコピーとして歪みのない画像をフイルムに記録することも可能である。
【００１７】
２）回診用Ｘ線装置にモニタ10（図１参照）を付設し、画像処理回路２で画像処理されたデータをＸ線透過画像として表示するようにしてもよい。
このようにすれば、術者は、モニタ10に映し出されたＸ線透過画像でもって関心部位の情報が含まれているかが確認でき、関心部位の画像である場合には図示しない記憶スイッチをオンし、モニタ10で確認したＸ線透過画像を中央画像処理部に転送、または、一時画像記憶メモリ９に保存することが可能となる。
これにより関心部位を適格に撮影ミスなく撮影し、その画像を記憶・保存することができ、画像記憶手段に多数枚の画像を記憶・保存できる。
【００１８】
３）Ｃ．Ｕ．５の制御回路53に電荷蓄積信号を与え、ＴＦＴトランジスタ42による電気信号への変換を停止させた状態で、Ｘ線発生装置28からＸ線を照射して撮影を行い、被検体を透過した透過Ｘ線をフラットパネルＸ線検出器１のＸ線検出物質層41に電荷として蓄積し、撮影後に、電荷蓄積信号を解除し、ＴＦＴトランジスタ42により電気信号に変換され、Ｃ．Ｕ．５から出力されるビデオ信号を転送、ないし、一時画像記憶メモリ７に記憶するようにしてもよい。
【００１９】
４）フラットパネルＸ線検出器１のＣ．Ｕ．５より出力されるデジタル・ビデオ信号（画像データ）を光変換し、光ケーブルで画像処理回路に伝送するようにしてもよい。
【００２０】
【発明の効果】
本発明の回診用Ｘ線装置によれば、フイルムを使用することなく、直接デジタル画像データが得られると共に、多数枚のＸ線撮影を行うことができる。
【図面の簡単な説明】
【図１】本発明の一実施例に係る移動式Ｘ線装置の概略構成を示す模式図である。
【図２】フラットパネルＸ線検出器の構成を示す模式図である。
【図３】直接変換方式のフラットパネルＸ線検出器のＸ線検出部の構成（ａ）と電荷読み出し部の構成（ｂ）を示す模式図である。
【図４】間接変換方式のフラットパネルＸ線検出器のＸ線検出部の構成（ａ）と電荷読み出し部の構成（ｂ）を示す模式図である。
【図５】従来の移動式Ｘ線装置の概略構成を示す模式図である。
【符号の説明】
１：フラットパネルＸ線検出器          ２：画像処理回路
３：：ネットワークインターフェイス
４：Ｘ線検出部（41…Ｘ線検出物質層      42…ＴＦＴトランジスタ
43…ガラス基板）
５：コントロール・ユニット（Ｃ．Ｕ．）（51…アンプ    52…Ａ／Ｄ変換器
53…制御回路    54…加算器）
６：ケーブル                          ７：ネットワーク
８：接続端子盤                        ９：メモリ          10：モニタ
20：移動型Ｘ線装置
23：走行台車                          24：支柱
25：支持台                            26：伸縮アーム
28：Ｘ線発生装置                      29：制御装置
【図１】
0004447675.tif 000002
【図２】
0004447675.tif 000003
【図３】
0004447675.tif 000004
【図４】
0004447675.tif 000005
【図５】
0004447675.tif 000006